(57)【特許請求の範囲】
【請求項１】
移動無線端末が上位ネットワークと通信する際の通信処理を行うためのリソースを有する複数の無線通信装置と、
移動無線端末との間で無線通信を行う機能を有する１または２以上の張り出し装置と、
前記無線通信装置および前記張り出し装置が接続され、前記無線通信装置および前記張り出し装置の接続関係を任意に変更可能なＩＰネットワークと、
を具備し、
それぞれの前記張り出し装置は、移動無線端末が上位ネットワークと通信する際に、複数の前記無線通信装置のリソースを同時に使用可能であることを特徴とする無線通信システム。
【請求項２】
複数の前記無線通信装置を制御する基地局制御装置をさらに有し、
前記基地局制御装置は、移動無線端末が上位ネットワークと通信する際に、該移動無線端末と上位ネットワークとの間に確立される複数のチャネルを複数の前記無線通信装置のリソースに割り当てるとともに、複数の前記無線通信装置のリソースにより処理された情報を同一の移動無線端末に係わる情報として処理することを特徴とする請求項１に記載の無線通信システム。
【請求項３】
前記基地局制御装置は、配下の複数の前記無線通信装置を複数の基地局グループに分けて管理し、移動無線端末が上位ネットワークと通信する際に、該移動無線端末と上位ネットワークとの間に確立される複数のチャネルを同一の基地局グループに属する複数の前記無線通信装置のリソースに割り当てることを特徴とする請求項２に記載の無線通信システム。
【請求項４】
前記基地局制御装置は、配下の複数の前記無線通信装置を複数の基地局グループに分けて管理し、移動無線端末が上位ネットワークと通信する際に、該移動無線端末と上位ネットワークとの間に確立される複数のチャネルを、同一の基地局グループに属する前記無線通信装置のリソースに割り当てずに、異なる基地局グループにそれぞれ属する前記無線通信装置のリソースに割り当てることを特徴とする請求項２に記載の無線通信システム。
【請求項５】
移動無線端末が上位ネットワークと通信する際に、複数の前記無線通信装置のうちの一つが自身のリソースに、移動無線端末と上位ネットワークとの間に確立される複数のチャネルのうちの一部のチャネルを割り当てるとともに、別の前記無線通信装置にリソースの割り当て指示を転送し、該リソースの割り当て指示を受け取った前記無線通信装置が自身のリソースに残りのチャネルを割り当てることを特徴とする請求項１に記載の無線通信システム。
【請求項６】
複数の前記無線通信装置を複数の基地局グループに分けて管理し、移動無線端末が上位ネットワークと通信する際に、該移動無線端末と上位ネットワークとの間に確立される複数のチャネルを同一の基地局グループに属する複数の前記無線通信装置のリソースに割り当てることを特徴とする請求項５に記載の無線通信システム。
【請求項７】
複数の前記無線通信装置を複数の基地局グループに分けて管理し、移動無線端末が上位ネットワークと通信する際に、該移動無線端末と上位ネットワークとの間に確立される複数のチャネルを、同一の基地局グループに属する前記無線通信装置のリソースに割り当てずに、異なる基地局グループにそれぞれ属する前記無線通信装置のリソースに割り当てることを特徴とする請求項５に記載の無線通信システム。
【請求項８】
前記請求項２〜４のいずれか一つに記載の無線通信システムに用いられる無線通信装置であって、
ＩＰネットワークに接続するためのＩＰインタフェース部と、
送信データに対する符号化処理および受信データに対する復号化処理を行うベースバンド処理部と、
を備えることを特徴とする無線通信装置。
【請求項９】
前記請求項５〜７のいずれか一つに記載の無線通信システムに用いられる無線通信装置であって、
ＩＰネットワークに接続するためのＩＰインタフェース部と、
送信データに対する符号化処理および受信データに対する復号化処理を行うベースバンド処理部と、
前記ＩＰネットワークを介して他の無線通信装置と通信するためのバイパス部と、
を備えることを特徴とする無線通信装置。
【請求項１０】
前記請求項２〜７のいずれか一つに記載の無線通信システムに用いられる張り出し装置であって、
ＩＰネットワークに接続するためのＩＰインタフェース部と、
移動無線端末との間で無線通信を行う無線送受信部と、
送信データに対する送信処理を行う送信部と、
受信データに対する受信処理と逆拡散処理を行う受信部と、
を備えることを特徴とする張り出し装置。
【発明の詳細な説明】
【技術分野】
【０００１】
この発明は、無線通信システム、無線通信装置および張り出し装置に関する。
【背景技術】
【０００２】
図１７は、従来の移動無線通信システムの概略を示す図である。図１７に示すように、従来のシステムでは、上位ネットワーク（ＣＮ）１に複数の基地局制御装置（ＲＮＣ）２が接続され、各基地局制御装置２に複数の無線通信装置（ＢＴＳ）３が接続されている。各無線通信装置３は、サービスエリア４ごとに配置されている。
【０００３】
また、通常の無線通信装置３ではカバーできないエリア５には、光張り出し装置６が配置されている。光張り出し装置６は、既存の無線通信装置３と親子関係となって、移動局(移動無線端末ともいう、ＵＥ)との無線通信を行う。無線通信装置３とその配下の光張り出し装置６は、その間で必要とされる伝送帯域が大きいため、光ケーブルにより相互に接続されている。
【０００４】
親となる無線通信装置３に複数の光張り出し装置６が接続されている場合、同一の無線通信装置３を親とする複数の光張り出し装置６は、その親である無線通信装置３のリソースを共有することができるが、親でない別の無線通信装置３のリソースを共有することはできない。光張り出し装置６が接続されていない場合には、無線通信装置３のリソースは、その無線通信装置３に固定であり、別の無線通信装置３との間で共有されることはない。
【０００５】
図１８は、従来の移動無線通信システムにおける無線通信装置と光張り出し装置の構成を示す図である。図１８に示すように、従来の無線通信装置３は、基地局制御装置２に対するインタフェース（ＩＦ）部１１、送信データに対する符号化処理および受信データに対する逆拡散と復号化の処理を行うベースバンド処理部（ＢＢ）１２、送信データに対する拡散処理を行う拡散処理部（ＳＰ）１３、受信データに対する受信処理を行う受信部（ＲＸ）１４、光張り出し装置６に対する光インタフェース（ＩＦ）部１５並びに無線通信装置３の全体を制御する制御部１６から構成されている。
【０００６】
光張り出し装置６は、無線通信装置３に対する光インタフェース（ＩＦ）部１７および無線送受信部（ＴＲＸ）１８から構成されている。つまり、従来のシステムでは、無線通信装置３と光張り出し装置６の間で、拡散処理されたデータが伝送される。そのため、上述したように、無線通信装置３と光張り出し装置６の間の伝送帯域が大きくなる。
【０００７】
ベースバンド処理部１２は、無線通信装置３に対して着脱可能なカード（以下、ＢＢカードとする）の形態で提供されている。１枚のＢＢカードには、複数のリソースが設けられており、各リソースは、チャネル単位で割り当てられる。各端末は、無線通信装置３の複数のリソースを使用して、上位ネットワーク１と接続する。各無線通信装置３には、予想される端末の最大接続数分の処理が可能なだけのＢＢカードが実装されている。
【０００８】
各無線通信装置３には、複数のセルが割り当てられている。各セルで使用される共通チャネルは、セルごとに別々のＢＢカードのリソースに割り当てられており、その割り当ては固定されている。一方、各端末が使用する個別チャネルに対しては、その端末がいるセルの共通チャネルが割り当てられたＢＢカードに限らず、同じ無線通信装置３の他のセルの共通チャネルが割り当てられたＢＢカードのリソースを割り当てることができる。
【０００９】
一般的には、各無線通信装置３において、すべてのリソースの合計数は、１つのセルの理論上の最大収容数（符号数で決まり、他のセルからのハンドオーバを見込むと、８０程度）よりも少ない。無線通信装置３の制御部１６は、基地局制御装置２からの指示に基づいて、リソースの管理や個別チャネルに対するリソースの割り当てなどの処理を行っている。
【００１０】
また、第３世代移動体通信システムの標準化プロジェクト（３ＧＰＰ）によれば、第３世代移動体通信システムに関する種々の規格が標準化されている。例えば、移動無線端末と、基地局制御装置２およびその配下の無線通信装置３により構成されるＵＴＲＡＮとの間の無線インタフェースについての規格や、基地局制御装置２と他の基地局制御装置２または他のシステムとの間で伝達される情報についての規格や、ＵＴＲＡＮと上位ネットワーク１との間のインタフェースについての規格や、基地局制御装置２と無線通信装置３との間のインタフェースについての規格が標準化されている（例えば、非特許文献１参照。）。
【００１１】
【非特許文献１】“３ＧＰＰ  Ｒｅｌｅａｓｅ５  技術仕様書（ＴＳ）ＴＳ２５．３３１，  ＴＳ２５．４１３，  ＴＳ２５．４３３”、［ｏｎｌｉｎｅ］、ザ・３ｒｄ・ジェネレーション・パートナーシップ・プロジェクト（３ＧＰＰ）（Ｔｈｅ  ３ｒｄ  Ｇｅｎｅｒａｔｉｏｎ  Ｐａｒｔｎｅｒｓｈｉｐ  Ｐｒｏｊｅｃｔ  （３ＧＰＰ））、［平成１７年１２月２８日検索］、インターネット＜ＵＲＬ：ｈｔｔｐ：／／ｗｗｗ．３ｇｐｐ．ｏｒｇ／ｆｔｐ／Ｓｐｅｃｓ／ｈｔｍｌ−ｉｎｆｏ／２５−ｓｅｒｉｅｓ．ｈｔｍ＞
【発明の開示】
【発明が解決しようとする課題】
【００１２】
しかしながら、上述した従来の基地局側システムでは、複数の無線通信装置間でリソースを共有していないため、時刻、曜日、月または季節などに起因するトラフィックの増減や、イベントや災害などによって急激に増大するトラフィックに応じて、柔軟にリソースを割り当てることができない。そのため、トラフィックの増大に対して無線通信装置のリソースが不足すると、無線通信装置で要求された呼処理を行うことができず、サービス品質の低下を招くという問題点がある。
【００１３】
トラフィックの増大に対しては、トラフィックが増大した無線通信装置にＢＢカードを増設することにより対処することができるが、この場合には、管理者が常にトラフィックの変動を監視し、ＢＢカードの増設作業を行う必要があるため、通信コストの増大を招くという問題点がある。一方、トラフィックの減少や、予想されたトラフィック量よりも実際のトラフィック量が少ない場合には、無線通信装置のリソースが利用されずに余ってしまうため、装置の運用効率が低下し、この場合も通信コストの増大を招くという問題点がある。
【００１４】
また、光張り出し装置を配置することにより、トラフィックの増減に対してある程度柔軟に無線通信装置のリソースを割り当てることができる。しかし、無線通信装置と光張り出し装置の接続に光ケーブルが用いられているため、光張り出し装置を配置できるエリアが光ケーブルの敷設が可能なエリアに限られてしまうという問題点がある。さらに、光ケーブルの運用に費用がかかるため、通信コストの増大を招くという問題点がある。
【００１５】
本発明は、上述した従来技術による問題点を解消するため、トラフィック分布の変動に対応して良好なサービス品質を確保することができる無線通信システムを提供することを目的とする。また、無線通信装置のリソースを有効利用することにより、通信コストを削減することができる無線通信システムを提供することを目的とする。さらに、既設のメタル回線を利用することにより、光ケーブルを敷設できないエリアに張り出し装置を設置し、低コストで運用することができる無線通信システムを提供することを目的とする。また、このような無線通信システムに用いられる無線通信装置および張り出し装置を提供することを目的とする。
【課題を解決するための手段】
【００１６】
上述した課題を解決し、目的を達成するため、本発明にかかる無線通信システムは、複数の無線通信装置と１または２以上の張り出し装置を、それらの接続関係を任意に変更可能なＩＰネットワークを介して接続した構成となっている。無線通信装置は、移動無線端末移動局（移動無線端末）が上位ネットワークと通信する際の通信処理を行うためのリソースを有する。張り出し装置は、移動無線端末との間で無線通信を行う機能を有する。各張り出し装置は、移動無線端末が上位ネットワークと通信する際に、複数の無線通信装置のリソースを同時に使用可能であり、トラフィック量の増減に応じて、任意の無線通信装置のリソースを利用する。ここで、ＩＰネットワークとは、インターネット・プロトコルを利用したネットワークのことであり、ＩＰアドレスなどを指定することによって任意の相手と通信することができる。
【００１７】
また、本発明にかかる無線通信システムは、複数の無線通信装置を制御する基地局制御装置をさらに有していてもよい。この場合には、基地局制御装置は、移動無線端末が上位ネットワークと通信する際にそれらの間で確立される複数のチャネルを複数の無線通信装置のリソースに割り当てることができる。そして、移動無線端末と上位ネットワークの間で確立される複数のチャネルを複数の無線通信装置のリソースに割り当てた場合には、基地局制御装置は、複数の無線通信装置のリソースにより処理された情報を同一の移動無線端末に係わる情報として処理する。
【００１８】
あるいは、移動無線端末が上位ネットワークと通信する際に、複数の無線通信装置のうちの一つが自身のリソースに、移動無線端末と上位ネットワークとの間に確立される複数のチャネルのうちの一部のチャネルを割り当てるとともに、別の無線通信装置にリソースの割り当て指示を転送するようにしてもよい。そして、リソースの割り当て指示を受け取った無線通信装置が自身のリソースに、移動無線端末と上位ネットワークとの間に確立される複数のチャネルのうちの残りのチャネルを割り当てるようにしてもよい。この場合には、リソースの割り当て指示を転送する側の無線通信装置と、転送されたリソースの割り当て指示を受け取る側の無線通信装置の間で、ＩＰネットワークを介して制御情報の授受を行う。
【００１９】
また、複数の無線通信装置を複数の基地局グループに分けて管理してもよい。この場合、移動無線端末と上位ネットワークとの間に確立される複数のチャネルを同一の基地局グループに属する複数の無線通信装置のリソースに割り当てるようにしてもよい。あるいは、その複数のチャネルを、同一の基地局グループに属する無線通信装置のリソースに割り当てずに、異なる基地局グループにそれぞれ属する無線通信装置のリソースに割り当てるようにしてもよい。また、複数の張り出し装置を複数の張り出し装置グループに分けて管理してもよい。そして、移動無線端末と上位ネットワークとの間に確立される複数のチャネルを、同一の張り出し装置グループに関係づけられた２以上の無線通信装置のリソースに割り当てるようにしてもよい。
【００２０】
上述した無線通信システムに用いられる張り出し装置には、送信データに対する変調処理を行う送信部と、受信データに対する復調処理を行う受信部と、ＩＰネットワークに接続するためのＩＰインタフェース部を設ける。無線通信装置には、送信データに対する符号化処理および受信データに対する復号化処理を行うベースバンド処理部と、ＩＰネットワークに接続するためのＩＰインタフェース部を設ける。
【００２１】
この発明によれば、移動無線端末と上位ネットワークの間に確立される複数のチャネルのすべてに一つの無線通信装置のリソースを割り当てることができない場合に、それらのチャネルに対して２以上の無線通信装置のリソースを割り当てることができる。従って、トラフィック量が増大しても、良好なサービス品質を確保することができる。また、トラフィック分布に応じたリソースの増減を人手によって行う必要がない。さらに、トラフィック分布に応じてリソースが動的に変化することによって、トラフィック量が減少しても余剰なリソースが生じるのを防ぐことができる。従って、通信コストを削減することができる。また、張り出し装置とＩＰネットワークの間を電話線などのメタル回線で接続することができる。
【発明の効果】
【００２２】
本発明にかかる無線通信システム、無線通信装置および張り出し装置によれば、トラフィック分布の変動に対応して良好なサービス品質を確保することができるという効果を奏する。また、無線通信装置のリソースを有効利用することにより、通信コストを削減することができるという効果を奏する。さらに、既設のメタル回線を利用することにより、光ケーブルを敷設できないエリアに張り出し装置を設置し、低コストで運用することができるという効果を奏する。
【発明を実施するための最良の形態】
【００２３】
以下に添付図面を参照して、この発明にかかる無線通信システム、無線通信装置および張り出し装置の好適な実施の形態を詳細に説明する。以下の説明では、便宜上、上位ネットワーク側から端末側へ向かうデータを送信データとし、その逆へ向かうデータを受信データとする。なお、以下の各実施の形態において、同様の構成には同一の符号を付して、重複する説明を省略する。
【００２４】
（実施の形態１）
図１は、本発明にかかる移動無線通信システムの概略を示す図である。図１に示すように、このシステムでは、上位ネットワーク（ＣＮ）１０１に複数の基地局制御装置（ＲＮＣ）１０２が接続され、各基地局制御装置１０２に複数の無線通信装置（ＢＴＳ）１０３が接続されている。各無線通信装置１０３は、ＩＰネットワーク（ＩＰＮＷ）１００に接続されている。ＩＰネットワーク１００には、複数の張り出し装置１０６が接続されている。各張り出し装置１０６は、サービスエリア１０４ごとに配置されている。また、サービスエリア１０４に無線通信装置１０３が配置されていてもよい。
【００２５】
これら無線通信装置１０３および張り出し装置１０６には、個々を識別するためのＩＰアドレスが付与されており、ＩＰアドレスを指定することによって任意の無線通信装置１０３と任意の張り出し装置１０６との通信が可能である。つまり、無線通信装置１０３と張り出し装置１０６との接続関係を柔軟に変更することができる。付与されるＩＰアドレスは、ＩＰネットワーク１００において各無線通信装置１０３および各張り出し装置１０６を一意に特定するグローバル・アドレスでもよい。
【００２６】
または、一部または全部の無線通信装置１０３や一部または全部の張り出し装置１０６をグループとする、閉じたネットワーク（プライベート・ネットワーク）を構成し、そのプライベート・ネットワーク内だけで通用するプライベート・アドレスでもよい。プライベート・アドレスを用いる場合には、プライベート・ネットワークとインターネットとの境界にゲートウェイ装置（ルータ）を配置し、そのゲートウェイ装置（ルータ）においてプライベート・アドレスとグローバル・アドレスの変換を行う。
【００２７】
図１に示す移動無線通信システムにおいて、プライベート・ネットワークを構成する場合には、例えば複数の無線通信装置１０３を複数の基地局グループに分けて管理する構成としてもよい。この場合には、同一の基地局グループに属する無線通信装置１０３間でリソースを共有し、張り出し装置１０６が同一の基地局グループに属する１または２以上の無線通信装置１０３のリソースを利用するようにすればよい。あるいは、同一の基地局グループに属する無線通信装置１０３間ではリソースを共有しないで、異なる基地局グループに属する無線通信装置１０３間でリソースを共有し、張り出し装置１０６が異なる２以上の基地局グループに別々に属する２以上の無線通信装置１０３のリソースを利用するようにすればよい。
【００２８】
また、例えば複数の光張り出し装置６を複数の張り出し装置グループに分けて管理する構成や、張り出し装置グループと上記基地局グループが混在する構成としてもよい。この場合には、一つの無線通信装置１０３のリソースまたは上記基地局グループのリソースを張り出し装置グループが共有するようにすればよい。
【００２９】
図２は、本発明の実施の形態１にかかる移動無線通信システムにおける無線通信装置と張り出し装置の構成を示す図である。図２に示すように、無線通信装置１０３は、基地局制御装置１０２に対するインタフェース（ＩＦ）部１１１、符号化処理および復号化処理を行うベースバンド処理部（ＢＢ）１１２、並びに無線通信装置１０３の全体を制御する制御部１１６から構成されている。ベースバンド処理部１１２は、インタフェース（ＩＦ）部１２１、符号化処理部１２２、ＩＰインタフェース（ＩＰＩＦ）部１２３，１２４、復号化処理部１２５および制御部１２６を備えている。
【００３０】
インタフェース部１２１は、基地局制御装置１０２に対するインタフェース部１１１に接続するインタフェースである。符号化処理部１２２は、送信データに対する符号化処理を行う。一方のＩＰインタフェース部１２３は、符号化処理された送信データをＩＰネットワーク１００へ送出するためのインタフェースである。もう一方のＩＰインタフェース部１２４は、ＩＰネットワーク１００から受信データを受け取るためのインタフェースである。復号化処理部１２５は、受信データに対する復号化処理を行う。制御部１２６は、ベースバンド処理部１１２を制御する。
【００３１】
張り出し装置１０６は、送信部（ＴＸ）１１３、受信部（ＲＸ）１１４、ＴＲＸインタフェース（ＴＲＸＩＦ）部１１５および無線送受信部（ＴＲＸ）１１８を備えている。ＴＲＸインタフェース部１１５は、送信部１１３および受信部１１４と無線送受信部１１８とのインタフェースである。送信部１１３は、ＩＰインタフェース（ＩＰＩＦ）部１３１、フレーム処理部１３２、拡散処理部１３３および制御部１３４を備えている。なお、フレーム処理部１３２、拡散処理部１３３は、変調処理部として１つの処理とすることもできる。
【００３２】
ＩＰインタフェース部１３１は、ＩＰネットワーク１００から送信データを受け取るためのインタフェースである。フレーム処理部１３２は、送信データに対してフレーム処理を行う。拡散処理部１３３は、フレーム処理された送信データに対して拡散処理を行う。拡散処理された送信データは、ＴＲＸインタフェース部１１５から無線送受信部１１８へ送られる。制御部１３４は、拡散処理部１１３を制御する。
【００３３】
受信部１１４は、受信処理部１４１、逆拡散処理部１４２およびＩＰインタフェース（ＩＰＩＦ）部１４３を備えている。なお、受信処理部１４１、逆拡散処理部１４２は、復調処理部として１つの処理とすることもできる。
受信処理部１４１は、ＴＲＸインタフェース部１１５を介して無線送受信部１１８から受け取った受信データに対して受信処理を行う。逆拡散処理部１４２は、受信処理された受信データに対して逆拡散処理を行う。ＩＰインタフェース部１４３は、逆拡散処理された受信データをＩＰネットワーク１００へ送出するためのインタフェースである。
【００３４】
上述した構成により、送信データは、拡散処理されていない状態で無線通信装置１０３からＩＰネットワーク１００を介して張り出し装置１０６へ送られ、張り出し装置１０６において拡散処理される。また、受信データは、張り出し装置１０６において逆拡散処理され、その拡散処理されていない状態のまま、張り出し装置１０６からＩＰネットワーク１００を介して無線通信装置１０３へ送られる。
【００３５】
つまり、無線通信装置１０３と張り出し装置１０６の間に必要な伝送帯域が従来よりも小さくて済む。従って、無線通信装置１０３および張り出し装置１０６とＩＰネットワーク１００との間の伝送路として、既設の電話線などのメタル回線を利用することができる。なお、この伝送路を光ケーブルで実現してもよいのは勿論である。
【００３６】
また、上記構成は符号分割多元接続（ＣＤＭＡ）方式を例としたが、本発明はＣＤＭＡ方式に限定されるものではなく、直交周波数分割多重（ＯＦＤＭ）方式等にも適用できるものであり、その場合は、変調処理部及び復調処理部において各方式における処理を行えばよい。
【００３７】
次に、移動局（移動無線端末）からの発呼手順について説明する。まず、図３に示すように、セルＡ２０１の共通チャネル３０１およびセルＡ２０１内の移動局（移動無線端末）（ＵＥ）４０１の個別制御チャネル３０２にそれぞれ第１の無線通信装置（親ＢＴＳ１）１０３ａのリソースが割り当てられ、かつ同じ移動局（移動無線端末）４０１の個別トラフィックチャネル３０３に、別のセルＢ２０２の共通チャネル３０４とともに、第２の無線通信装置（親ＢＴＳ２）１０３ｂのリソースが割り当てられる場合について説明する。
【００３８】
セルＡ２０１の共通チャネル３０１と移動局（移動無線端末）４０１の個別制御チャネル３０２は、第１の張り出し装置１０６ａ、ＩＰネットワーク１００および第１の無線通信装置１０３ａを経由して基地局制御装置１０２へ至る。移動局（移動無線端末）４０１の個別トラフィックチャネル３０３は、第１の張り出し装置１０６ａ、ＩＰネットワーク１００および第２の無線通信装置１０３ｂを経由して基地局制御装置１０２へ至る。セルＢ２０２の共通チャネル３０４は、第２の張り出し装置１０６ｂ、ＩＰネットワーク１００および第２の無線通信装置１０３ｂを経由して基地局制御装置１０２へ至る。
【００３９】
なお、図３においては、ベースバンド処理部１１２のＩＰインタフェース部１２３，１２４を、ベースバンド処理部１１２から抜き出して明示している。また、張り出し装置１０６の送信部１１３および受信部１１４からＩＰインタフェース部１３１，１４３を抜き出して１つにまとめて明示するとともに、２つの無線送受信部１１８を１つにまとめている。さらに、張り出し装置１０６のＴＲＸインタフェース部１１５を省略している。これらは、図６、図１０および図１２においても同様である。
【００４０】
図４および図５は、図３に示すリソースの割り当てによって移動局（移動無線端末）と基地局制御装置の間で通信リンクを確立する場合の端末からの発呼手順を示す図であり、図５は図４の続きを示す図である。まず、図４に示すように、初期状態において基地局制御装置１０２は、第１の無線通信装置１０３ａおよび第２の無線通信装置１０３ｂへ報知情報を送出する（ステップＳ１）。第１の無線通信装置１０３ａへ送出された報知情報は、第１の張り出し装置１０６ａへ送られ、さらに移動局（移動無線端末）４０１へ送られる。第２の無線通信装置１０３ｂへ送出された報知情報は、第２の張り出し装置１０６ｂへ送られる。
【００４１】
移動局（移動無線端末）４０１は、報知情報を受け取ると、第１の張り出し装置１０６ａおよび第１の無線通信装置１０３ａを経由して基地局制御装置１０２に対して端末からの送信を要求し、ＲＲＣ  Ｃｏｎｎｅｃｔｉｏｎの確立手順を開始する（ステップＳ２）。基地局制御装置１０２は、端末からの送信要求を受け取ると、リソースの割り当てを行い、第１の無線通信装置１０３ａに対して無線リンクの起動を指示する（ステップＳ３）。第１の無線通信装置１０３ａは、その起動指示を受け取ると、基地局制御装置１０２に無線リンクの起動確認を返送する（ステップＳ４）。これによって、基地局制御装置１０２と第１の無線通信装置１０３ａの間に制御ｃｈ（チャネル）用ＡＡＬ２リンクが確立する（ステップＳ５）。
【００４２】
次いで、基地局制御装置１０２は、第１の無線通信装置１０３ａおよび第１の張り出し装置１０６ａを経由して移動局（移動無線端末）４０１へＲＲＣコネクションの起動指示を返送する（ステップＳ６）。これによって、移動局（移動無線端末）４０１と第１の張り出し装置１０６ａの間にＤＣＨ同期が確立する（ステップＳ７）。そして、移動局（移動無線端末）４０１は、第１の張り出し装置１０６ａおよび第１の無線通信装置１０３ａを経由して基地局制御装置１０２へＲＲＣコネクションの起動完了を送信する（ステップＳ８）。また、移動局（移動無線端末）４０１は、第１の張り出し装置１０６ａおよび第１の無線通信装置１０３ａを経由して基地局制御装置１０２へＣＭサービス要求を送信する（ステップＳ９）。
【００４３】
次いで、基地局制御装置１０２と上位ネットワーク１０１の間にＳＣＣＰ接続が確立する（ステップＳ１０）と、基地局制御装置１０２は、上位ネットワーク１０１に対してＣＭサービス要求を行う（ステップＳ１１）。そして、上位ネットワーク１０１と基地局制御装置１０２の間、基地局制御装置１０２と第１の無線通信装置１０３ａの間、第１の無線通信装置１０３ａと第１の張り出し装置１０６ａの間、第１の張り出し装置１０６ａと移動局（移動無線端末）４０１の間のそれぞれにおいて、認証および秘匿手続きを行う（ステップＳ１２）。
【００４４】
次いで、移動局（移動無線端末）４０１は、第１の張り出し装置１０６ａ、第１の無線通信装置１０３ａおよび基地局制御装置１０２を経由して上位ネットワーク１０１へＣＣセットアップを送信する（ステップＳ１３）。それに対して、上位ネットワーク１０１は、発信内容を確認した後、基地局制御装置１０２、第１の無線通信装置１０３ａおよび第１の張り出し装置１０６ａを経由して移動局（移動無線端末）４０１へコール・プロシーディング（Ｃａｌｌ  Ｐｒｏｃｅｅｄｉｎｇ）を返送する（ステップＳ１４）。
【００４５】
次いで、図５に示すように、上位ネットワーク１０１は、基地局制御装置１０２へＲＡＢ割り当て要求を送信する（ステップＳ１５）。基地局制御装置１０２は、ＲＡＢ割り当て要求を受け取ると、第１の無線通信装置１０３ａへラジオ・リンク・コンフィギュレーション・プリペア（Ｒａｄｉｏ  Ｌｉｎｋ  Ｃｏｎｆｉｇｕｒａｔｉｏｎ  Ｐｒｅｐａｒｅ）を送信する（ステップＳ１６）。第１の無線通信装置１０３ａでは、リソースが不足しているため、基地局制御装置１０２へラジオ・リンク・コンフィギュレーション・フェイリュア（Ｒａｄｉｏ  Ｌｉｎｋ  Ｃｏｎｆｉｇｕｒａｔｉｏｎ  Ｆａｉｌｕｒｅ）を返送する（ステップＳ１７）。
【００４６】
基地局制御装置１０２は、ラジオ・リンク・コンフィギュレーション・フェイリュアを受け取ると、第２の無線通信装置１０３ｂへラジオ・リンク・リコンフィギュレーション・プリペア（Ｒａｄｉｏ  Ｌｉｎｋ  Ｒｅｃｏｎｆｉｇｕｒａｔｉｏｎ  Ｐｒｅｐａｒｅ）とラジオ・リンク・セットアップ（Ｒａｄｉｏ  Ｌｉｎｋ  Ｓｅｔｕｐ）とを送信する（ステップＳ１８）。これによって、第２の無線通信装置１０３ｂと第１の張り出し装置１０６ａの間にＩＰリンクが確立する。そして、第２の無線通信装置１０３ｂは、基地局制御装置１０２へラジオ・リンク・リコンフィギュレーション・レディ（Ｒａｄｉｏ  Ｌｉｎｋ  Ｒｅｃｏｎｆｉｇｕｒａｔｉｏｎ  Ｒｅａｄｙ）とラジオ・リンク・セットアップ・レスポンス（Ｒａｄｉｏ  Ｌｉｎｋ  Ｓｅｔｕｐ  Ｒｅｓｐｏｎｓｅ）を返送する（ステップＳ１９）。
【００４７】
これによって、上位ネットワーク１０１と基地局制御装置１０２の間、および基地局制御装置１０２と第２の無線通信装置１０３ｂの間のそれぞれにおいて、ユーザベアラ用ＡＡＬ２リンクが確立する（ステップＳ２０）。次いで、基地局制御装置１０２は、第１の無線通信装置１０３ａおよび第１の張り出し装置１０６ａを経由して移動局（移動無線端末）４０１へユーザ用無線ベアラの確立を指示する（ステップＳ２１）。移動局（移動無線端末）４０１は、その指示を受け取ると、無線ベアラをユーザ用に広げ、第１の張り出し装置１０６ａおよび第１の無線通信装置１０３ａを経由して基地局制御装置１０２へユーザ用無線ベアラの確立完了を返送する（ステップＳ２２）。
【００４８】
次いで、基地局制御装置１０２は、上位ネットワーク１０１へＲＡＢ割り当て応答を送信する（ステップＳ２３）。それに対して、上位ネットワーク１０１は、基地局制御装置１０２、第１の無線通信装置１０３ａおよび第１の張り出し装置１０６ａを経由して移動局（移動無線端末）４０１に呼び出し中を通知する（ステップＳ２４）。そして、移動局（移動無線端末）４０１と第１の張り出し装置１０６ａの間、第１の張り出し装置１０６ａと第１の無線通信装置１０３ａの間、第１の無線通信装置１０３ａと基地局制御装置１０２の間、および基地局制御装置１０２と上位ネットワーク１０１の間のそれぞれにおいて、相手端末の応答による接続指示メッセージを交換する（ステップＳ２５）。
【００４９】
次いで、通信を開始する（ステップＳ２６）。その際、上位ネットワーク１０１と移動局（移動無線端末）４０１の間で、制御データは、基地局制御装置１０２、第１の無線通信装置１０３ａおよび第１の張り出し装置１０６ａを経由する。また、ユーザデータは、基地局制御装置１０２、第２の無線通信装置１０３ｂおよび第１の張り出し装置１０６ａを経由する。基地局制御装置１０２は、第１の無線通信装置１０３ａから送られてくるセルＡ２０１の情報および移動局（移動無線端末）４０１の制御情報と、第２の無線通信装置１０３ｂから送られてくる移動局（移動無線端末）４０１のユーザデータを、同一の移動局（移動無線端末）４０１に関する情報として認識する。
【００５０】
次に、図６に示すように、セルＡ２０１の共通チャネル３０１に第１の無線通信装置１０３ａのリソースが割り当てられ、かつセルＡ２０１内の移動局（移動無線端末）４０１の個別制御チャネル３０２および個別トラフィックチャネル３０３に、別のセルＢ２０２の共通チャネル３０４とともに、第２の無線通信装置１０３ｂのリソースが割り当てられる場合について説明する。図３の状態と異なるのは、移動局（移動無線端末）４０１の個別制御チャネル３０２が、第１の張り出し装置１０６ａ、ＩＰネットワーク１００および第２の無線通信装置１０３ｂを経由して基地局制御装置１０２へ至ることである。
【００５１】
図７および図８は、図６に示すリソースの割り当てによって移動局（移動無線端末）と基地局制御装置の間で通信リンクを確立する場合の端末からの発呼手順を示す図であり、図８は図７の続きを示す図である。まず、図７に示すように、初期状態において基地局制御装置１０２は、第１の無線通信装置１０３ａおよび第１の張り出し装置１０６ａを経由して移動局（移動無線端末）４０１へ報知情報を送出する。また、基地局制御装置１０２は、第２の無線通信装置１０３ｂを経由して第２の張り出し装置１０６ｂへ報知情報を送出する（ステップＳ３１）。
【００５２】
移動局（移動無線端末）４０１は、報知情報を受け取ると、第１の張り出し装置１０６ａおよび第１の無線通信装置１０３ａを経由して基地局制御装置１０２に対して端末からの送信を要求し、ＲＲＣコネクションの確立手順を開始する（ステップＳ３２）。基地局制御装置１０２は、端末からの送信要求を受け取ると、リソースの割り当てを行い、第１の無線通信装置１０３ａに対して無線リンクの起動を指示する（ステップＳ３３）。第１の無線通信装置１０３ａでは、リソースが不足しているため、基地局制御装置１０２へラジオ・リンク・セットアップ・フェイリュア（Ｒａｄｉｏ  Ｌｉｎｋ  Ｓｅｔｕｐ  Ｆａｉｌｕｒｅ）を返送する（ステップＳ３４）。
【００５３】
基地局制御装置１０２は、ラジオ・リンク・セットアップ・フェイリュアを受け取ると、リソースの割り当てを行い、第２の無線通信装置１０３ｂに対して無線リンクの起動を指示する（ステップＳ３５）。これによって、第２の無線通信装置１０３ｂと第１の張り出し装置１０６ａの間にＩＰリンクが確立する。そして、第２の無線通信装置１０３ｂは、基地局制御装置１０２へラジオ・リンク・セットアップ・レスポンスを返送する（ステップＳ３６）。
【００５４】
次いで、基地局制御装置１０２と第２の無線通信装置１０３ｂの間にＡＡＬ２リンクが確立する（ステップＳ３７）と、基地局制御装置１０２は、第１の無線通信装置１０３ａおよび第１の張り出し装置１０６ａを経由して移動局（移動無線端末）４０１へＲＲＣコネクションの起動指示を返送する（ステップＳ３８）。これによって、移動局（移動無線端末）４０１と第１の張り出し装置１０６ａの間にＤＣＨ同期が確立する（ステップＳ３９）。そして、移動局（移動無線端末）４０１は、第１の張り出し装置１０６ａおよび第２の無線通信装置１０３ｂを経由して基地局制御装置１０２へＲＲＣコネクションの起動完了を送信する（ステップＳ４０）。また、移動局（移動無線端末）４０１は、第１の張り出し装置１０６ａおよび第２の無線通信装置１０３ｂを経由して基地局制御装置１０２へＣＭサービス要求を送信する（ステップＳ４１）。
【００５５】
次いで、基地局制御装置１０２と上位ネットワーク１０１の間にＳＣＣＰ接続が確立する（ステップＳ４２）と、基地局制御装置１０２は、上位ネットワーク１０１に対してＣＭサービス要求を行う（ステップＳ４３）。そして、図８に示すように、上位ネットワーク１０１と基地局制御装置１０２の間、基地局制御装置１０２と第２の無線通信装置１０３ｂの間、第２の無線通信装置１０３ｂと第１の張り出し装置１０６ａの間、第１の張り出し装置１０６ａと移動局（移動無線端末）４０１の間のそれぞれにおいて、認証および秘匿手続きを行う（ステップＳ４４）。
【００５６】
次いで、移動局（移動無線端末）４０１は、第１の張り出し装置１０６ａ、第２の無線通信装置１０３ｂおよび基地局制御装置１０２を経由して上位ネットワーク１０１へＣＣセットアップを送信する（ステップＳ４５）。それに対して、上位ネットワーク１０１は、発信内容を確認した後、基地局制御装置１０２、第２の無線通信装置１０３ｂおよび第１の張り出し装置１０６ａを経由して移動局（移動無線端末）４０１へコール・プロシーディングを返送する（ステップＳ４６）。
【００５７】
次いで、上位ネットワーク１０１は、基地局制御装置１０２へＲＡＢ割り当て要求を送信する（ステップＳ４７）。基地局制御装置１０２は、ＲＡＢ割り当て要求を受け取ると、第２の無線通信装置１０３ｂへラジオ・リンク・コンフィギュレーション・プリペアを送信する（ステップＳ４８）。第２の無線通信装置１０３ｂは、基地局制御装置１０２へラジオ・リンク・コンフィギュレーション・レディ（Ｒａｄｉｏ  Ｌｉｎｋ  Ｃｏｎｆｉｇｕｒａｔｉｏｎ  Ｒｅａｄｙ）とラジオ・リンク・セットアップ・レスポンスを返送する（ステップＳ４９）。
【００５８】
これによって、上位ネットワーク１０１と基地局制御装置１０２の間、および基地局制御装置１０２と第２の無線通信装置１０３ｂの間のそれぞれにおいて、ユーザベアラ用ＡＡＬ２リンクが確立する（ステップＳ５０）。次いで、基地局制御装置１０２は、第２の無線通信装置１０３ｂおよび第１の張り出し装置１０６ａを経由して移動局（移動無線端末）４０１へユーザ用無線ベアラの確立を指示する（ステップＳ５１）。移動局（移動無線端末）４０１は、その指示を受け取ると、無線ベアラをユーザ用に広げ、第１の張り出し装置１０６ａおよび第２の無線通信装置１０３ｂを経由して基地局制御装置１０２へユーザ用無線ベアラの確立完了を返送する（ステップＳ５２）。
【００５９】
次いで、基地局制御装置１０２は、上位ネットワーク１０１へＲＡＢ割り当て応答を送信する（ステップＳ５３）。それに対して、上位ネットワーク１０１は、基地局制御装置１０２、第２の無線通信装置１０３ｂおよび第１の張り出し装置１０６ａを経由して移動局（移動無線端末）４０１に呼び出し中を通知する（ステップＳ５４）。そして、移動局（移動無線端末）４０１と第１の張り出し装置１０６ａの間、第１の張り出し装置１０６ａと第２の無線通信装置１０３ｂの間、第２の無線通信装置１０３ｂと基地局制御装置１０２の間、および基地局制御装置１０２と上位ネットワーク１０１の間のそれぞれにおいて、相手端末の応答による接続指示メッセージを交換する（ステップＳ５５）。
【００６０】
次いで、通信を開始する（ステップＳ５６）。その際、上位ネットワーク１０１と移動局（移動無線端末）４０１の間で、制御データおよびユーザデータは、ともに基地局制御装置１０２、第２の無線通信装置１０３ｂおよび第１の張り出し装置１０６ａを経由する。基地局制御装置１０２は、第１の無線通信装置１０３ａから送られてくるセルＡ２０１の情報と、第２の無線通信装置１０３ｂから送られてくる移動局（移動無線端末）４０１の制御情報およびユーザデータを、同一の移動局（移動無線端末）４０１に関する情報として認識する。なお、共通チャネルと個別制御チャネルと個別トラフィックチャネルが同一の無線通信装置のリソースを利用する場合の発呼手順については、従来同様であるので、説明を省略する。
【００６１】
（実施の形態２）
図９は、本発明の実施の形態２にかかる移動無線通信システムにおける無線通信装置と張り出し装置の構成を示す図である。図９に示すように、実施の形態２では、無線通信装置１０３に、他の無線通信装置と通信するためのバイパス部１１９がさらに設けられている。バイパス部１１９は、インタフェース（ＩＦ）部１５１、方路制御部１５２およびＩＰインタフェース（ＩＰＩＦ）部１５３を備えている。
【００６２】
インタフェース部１５１は、基地局制御装置１０２に対するインタフェース部１１１に接続するインタフェースである。方路制御部１５２は、ＩＰネットワーク１００、基地局制御装置１０２、ベースバンド処理部１１２の符号化処理部１２２および復号化処理部１２５の間でデータが流れる方向を制御する。ＩＰインタフェース部１５３は、方路制御部１５２とＩＰネットワーク１００との間でデータの授受を行うためのインタフェースである。
【００６３】
上述した実施の形態１では、上位ネットワーク１０１と一つの端末との間の共通チャネルと個別チャネルに複数の無線通信装置のリソースを割り当てる際に、リソースの割り当ての制御を基地局制御装置が行うとした。それに対して、実施の形態２では、共通チャネル処理側の無線通信装置は、自身および相手先のバイパス部１１９とＩＰネットワーク１００を介して、別の無線通信装置にリソースの確保を依頼する。そして、それ以降、基地局制御装置からの個別チャネルに対する指示やデータは、バイパス部１１９とＩＰネットワーク１００を介して両無線通信装置間で受け渡しされる。
【００６４】
次に、移動局（移動無線端末）からの発呼手順について説明する。まず、図１０に示すように、セルＡ２０１の共通チャネル３０１およびセルＡ２０１内の移動局（移動無線端末）４０１の個別制御チャネル３０２にそれぞれ第１の無線通信装置１０３ａのリソースが割り当てられ、かつ同じ移動局（移動無線端末）４０１の個別トラフィックチャネル３０３に、別のセルＢ２０２の共通チャネル３０４とともに、第２の無線通信装置１０３ｂのリソースが割り当てられる場合について説明する。
【００６５】
この場合、移動局（移動無線端末）４０１の個別トラフィックチャネル３０３は、第１の張り出し装置１０６ａ、ＩＰネットワーク１００、第２の無線通信装置１０３ｂのベースバンド処理部１１２とバイパス部１１９を経由する。そして、再びＩＰネットワーク１００を経由し、さらに第１の無線通信装置１０３ａのバイパス部１１９を経由して基地局制御装置１０２へ至る。セルＡ２０１の共通チャネル３０１、移動局（移動無線端末）４０１の個別制御チャネル３０２およびセルＢ２０２の共通チャネル３０４については、図３の場合と同じである。
【００６６】
なお、図１０においては、バイパス部１１９のＩＰインタフェース部１５３をバイパス部１１９から抜き出し、ベースバンド処理部１１２から抜き出したＩＰインタフェース部１２３，１２４とまとめて１つにしている。これは、図１２においても同様である。
【００６７】
図１１は、図１０に示すリソースの割り当てによって移動局（移動無線端末）と基地局制御装置の間で通信リンクを確立する場合の端末からの発呼手順を示す図である。まず、図４のステップＳ１からステップＳ１４までを行う。次いで、図１１に示すように、上位ネットワーク１０１は、基地局制御装置１０２へＲＡＢ割り当て要求を送信する（ステップＳ７５）。基地局制御装置１０２は、ＲＡＢ割り当て要求を受け取ると、第１の無線通信装置１０３ａへラジオ・リンク・コンフィギュレーション・プリペアを送信する（ステップＳ７６）。第１の無線通信装置１０３ａは、自身のリソースが不足しているため、第２の無線通信装置１０３ｂとの間にＩＰリンクを確立し、第２の無線通信装置１０３ｂへラジオ・リンク・リコンフィギュレーション・プリペアを転送する（ステップＳ７７）。
【００６８】
これによって、第２の無線通信装置１０３ｂと第１の張り出し装置１０６ａの間にＩＰリンクが確立する。そして、第２の無線通信装置１０３ｂは、第１の無線通信装置１０３ａへラジオ・リンク・コンフィギュレーション・レディを返送する（ステップＳ７８）。さらに、第１の無線通信装置１０３ａは、基地局制御装置１０２へラジオ・リンク・コンフィギュレーション・レディを返送する（ステップＳ７９）。これによって、上位ネットワーク１０１と基地局制御装置１０２の間、および基地局制御装置１０２と第１の無線通信装置１０３ａの間のそれぞれにおいて、ユーザベアラ用ＡＡＬ２リンクが確立する（ステップＳ８０）。
【００６９】
次いで、基地局制御装置１０２は、第１の無線通信装置１０３ａおよび第１の張り出し装置１０６ａを経由して移動局（移動無線端末）４０１へユーザ用無線ベアラの確立を指示する（ステップＳ８１）。移動局（移動無線端末）４０１は、その指示を受け取ると、無線ベアラをユーザ用に広げ、第１の張り出し装置１０６ａおよび第１の無線通信装置１０３ａを経由して基地局制御装置１０２へユーザ用無線ベアラの確立完了を返送する（ステップＳ８２）。
【００７０】
次いで、基地局制御装置１０２は、上位ネットワーク１０１へＲＡＢ割り当て応答を送信する（ステップＳ８３）。それに対して、上位ネットワーク１０１は、基地局制御装置１０２、第１の無線通信装置１０３ａおよび第１の張り出し装置１０６ａを経由して移動局（移動無線端末）４０１に呼び出し中を通知する（ステップＳ８４）。そして、移動局（移動無線端末）４０１と第１の張り出し装置１０６ａの間、第１の張り出し装置１０６ａと第１の無線通信装置１０３ａの間、第１の無線通信装置１０３ａと基地局制御装置１０２の間、および基地局制御装置１０２と上位ネットワーク１０１の間のそれぞれにおいて、相手端末の応答による接続指示メッセージを交換する（ステップＳ８５）。
【００７１】
次いで、通信を開始する（ステップＳ８６）。その際、上位ネットワーク１０１と移動局（移動無線端末）４０１の間で、制御データは、基地局制御装置１０２、第１の無線通信装置１０３ａおよび第１の張り出し装置１０６ａを経由する。また、ユーザデータは、基地局制御装置１０２、第１の無線通信装置１０３ａ、第２の無線通信装置１０３ｂおよび第１の張り出し装置１０６ａを経由する。セルＡ２０１の情報と、移動局（移動無線端末）４０１の制御情報およびユーザデータは、従来同様に、第１の無線通信装置１０３ａから基地局制御装置１０２へ送られるので、基地局制御装置１０２は、これらの情報およびデータを従来同様に同一の移動局（移動無線端末）４０１に関する情報として認識する。
【００７２】
次に、図１２に示すように、セルＡ２０１の共通チャネル３０１に第１の無線通信装置１０３ａのリソースが割り当てられ、かつセルＡ２０１内の移動局（移動無線端末）４０１の個別制御チャネル３０２および個別トラフィックチャネル３０３に、別のセルＢ２０２の共通チャネル３０４とともに、第２の無線通信装置１０３ｂのリソースが割り当てられる場合について説明する。図１０の状態と異なるのは、移動局（移動無線端末）４０１の個別制御チャネル３０２が、第１の張り出し装置１０６ａ、ＩＰネットワーク１００、第２の無線通信装置１０３ｂおよび第１の無線通信装置１０３ａを経由して基地局制御装置１０２へ至ることである。
【００７３】
図１３〜図１５は、図１２に示すリソースの割り当てによって移動局（移動無線端末）と基地局制御装置の間で通信リンクを確立する場合の端末からの発呼手順を示す図であり、図１４は図１３の続きを示し、図１５は図１４の続きを示す。まず、図１３に示すように、初期状態において基地局制御装置１０２は、第１の無線通信装置１０３ａおよび第１の張り出し装置１０６ａを経由して移動局（移動無線端末）４０１へ報知情報を送出する。また、基地局制御装置１０２は、第２の無線通信装置１０３ｂを経由して第２の張り出し装置１０６ｂへ報知情報を送出する（ステップＳ９１）。
【００７４】
移動局（移動無線端末）４０１は、報知情報を受け取ると、第１の張り出し装置１０６ａおよび第１の無線通信装置１０３ａを経由して基地局制御装置１０２に対して端末からの送信を要求し、ＲＲＣコネクションの確立手順を開始する（ステップＳ９２）。基地局制御装置１０２は、端末からの送信要求を受け取ると、リソースの割り当てを行い、第１の無線通信装置１０３ａに対して無線リンクの起動を指示する（ステップＳ９３）。
【００７５】
第１の無線通信装置１０３ａは、自身のリソースが不足しているため、第２の無線通信装置１０３ｂとの間にＩＰリンクを確立し、第２の無線通信装置１０３ｂへラジオ・リンク・セットアップを転送する（ステップＳ９４）。第２の無線通信装置１０３ｂは、第１の張り出し装置１０６ａとの間にＩＰリンクを確立し、第１の無線通信装置１０３ａへラジオ・リンク・セットアップ・レスポンスを返送する（ステップＳ９５）。さらに、第１の無線通信装置１０３ａは、基地局制御装置１０２へラジオ・リンク・セットアップ・レスポンスを返送する（ステップＳ９６）。
【００７６】
次いで、基地局制御装置１０２と第１の無線通信装置１０３ａの間にＡＡＬ２リンクが確立する（ステップＳ９７）と、基地局制御装置１０２は、第１の無線通信装置１０３ａおよび第１の張り出し装置１０６ａを経由して移動局（移動無線端末）４０１へＲＲＣコネクションの起動指示を返送する（ステップＳ９８）。これによって、移動局（移動無線端末）４０１と第１の張り出し装置１０６ａの間にＤＣＨ同期が確立する（ステップＳ９９）。
【００７７】
次いで、図１４に示すように、移動局（移動無線端末）４０１は、ＲＲＣコネクションの起動完了を送信する（ステップＳ１００）。このＲＲＣコネクションの起動完了メッセージは、第１の張り出し装置１０６ａおよび第２の無線通信装置１０３ｂを経由して第１の無線通信装置１０３ａへ転送され、第１の無線通信装置１０３ａから基地局制御装置１０２へ返送される。また、移動局（移動無線端末）４０１は、ＣＭサービス要求を送信する（ステップＳ１０１）。このＣＭサービス要求は、第１の張り出し装置１０６ａおよび第２の無線通信装置１０３ｂを経由して第１の無線通信装置１０３ａへ転送され、第１の無線通信装置１０３ａから基地局制御装置１０２へ送信される。
【００７８】
次いで、基地局制御装置１０２と上位ネットワーク１０１の間にＳＣＣＰ接続が確立する（ステップＳ１０２）と、基地局制御装置１０２は、上位ネットワーク１０１に対してＣＭサービス要求を行う（ステップＳ１０３）。そして、上位ネットワーク１０１と基地局制御装置１０２の間、基地局制御装置１０２と第１の無線通信装置１０３ａの間、第１の無線通信装置１０３ａと第２の無線通信装置１０３ｂの間、第２の無線通信装置１０３ｂと第１の張り出し装置１０６ａの間、第１の張り出し装置１０６ａと移動局（移動無線端末）４０１の間のそれぞれにおいて、認証および秘匿手続きを行う（ステップＳ１０４）。
【００７９】
次いで、移動局（移動無線端末）４０１は、ＣＣセットアップを送信する（ステップＳ１０５）。このＣＣセットアップのメッセージは、第１の張り出し装置１０６ａおよび第２の無線通信装置１０３ｂを経由して第１の無線通信装置１０３ａへ転送され、第１の無線通信装置１０３ａから基地局制御装置１０２へ転送され、上位ネットワーク１０１へ送信される。
【００８０】
それに対して、上位ネットワーク１０１は、発信内容を確認した後、コール・プロシーディングを返送する（ステップＳ１０６）。このコール・プロシーディングのメッセージは、基地局制御装置１０２および第１の無線通信装置１０３ａを経由して第２の無線通信装置１０３ｂへ転送され、第２の無線通信装置１０３ｂから第１の張り出し装置１０６ａを経由して移動局（移動無線端末）４０１へ送信される。
【００８１】
次いで、上位ネットワーク１０１は、基地局制御装置１０２へＲＡＢ割り当て要求を送信する（ステップＳ１０７）。基地局制御装置１０２は、ＲＡＢ割り当て要求を受け取ると、第１の無線通信装置１０３ａへラジオ・リンク・リコンフィギュレーション・プリペアを送信する（ステップＳ１０８）。そして、第１の無線通信装置１０３ａは、第２の無線通信装置１０３ｂへラジオ・リンク・リコンフィギュレーション・プリペアを転送する（ステップＳ１０９）。
【００８２】
第２の無線通信装置１０３ｂは、ラジオ・リンク・リコンフィギュレーション・プリペアを受け取ると、第１の無線通信装置１０３ａへラジオ・リンク・リコンフィギュレーション・レディを返送する（ステップＳ１１０）。次いで、図１５に示すように、第１の無線通信装置１０３ａは、基地局制御装置１０２へラジオ・リンク・リコンフィギュレーション・レディを返送する（ステップＳ１１１）。これによって、上位ネットワーク１０１と基地局制御装置１０２の間、および基地局制御装置１０２と第１の無線通信装置１０３ａの間のそれぞれにおいて、ユーザベアラ用ＡＡＬ２リンクが確立する（ステップＳ１１２）。
【００８３】
次いで、基地局制御装置１０２は、移動局（移動無線端末）４０１にユーザ用無線ベアラの確立を指示する（ステップＳ１１３）。この指示メッセージは、第１の無線通信装置１０３ａを経由して第２の無線通信装置１０３ｂへ転送され、第２の無線通信装置１０３ｂから第１の張り出し装置１０６ａを経由して移動局（移動無線端末）４０１へ送信される。
【００８４】
移動局（移動無線端末）４０１は、その指示を受け取ると、無線ベアラをユーザ用に広げ、ユーザ用無線ベアラの確立完了を返送する（ステップＳ１１４）。この完了メッセージは、第１の張り出し装置１０６ａおよび第２の無線通信装置１０３ｂを経由して第１の無線通信装置１０３ａへ転送され、第１の無線通信装置１０３ａから基地局制御装置１０２へ送信される。
【００８５】
次いで、基地局制御装置１０２は、上位ネットワーク１０１へＲＡＢ割り当て応答を送信する（ステップＳ１１５）。それに対して、上位ネットワーク１０１は、基地局制御装置１０２、第１の無線通信装置１０３ａ、第２の無線通信装置１０３ｂおよび第１の張り出し装置１０６ａを経由して移動局（移動無線端末）４０１に呼び出し中を通知する（ステップＳ１１６）。
【００８６】
そして、移動局（移動無線端末）４０１と第１の張り出し装置１０６ａの間、第１の張り出し装置１０６ａと第２の無線通信装置１０３ｂの間、第２の無線通信装置１０３ｂと第１の無線通信装置１０３ａの間、第１の無線通信装置１０３ａと基地局制御装置１０２の間、および基地局制御装置１０２と上位ネットワーク１０１の間のそれぞれにおいて、相手端末の応答による接続指示メッセージを交換する（ステップＳ１１７）。次いで、通信を開始する（ステップＳ１１８）。その際、上位ネットワーク１０１と移動局（移動無線端末）４０１の間で、制御データおよびユーザデータは、ともに基地局制御装置１０２、第１の無線通信装置１０３ａ、第２の無線通信装置１０３ｂおよび第１の張り出し装置１０６ａを経由する。
【００８７】
セルＡ２０１の情報と、移動局（移動無線端末）４０１の制御情報およびユーザデータは、従来同様に、第１の無線通信装置１０３ａから基地局制御装置１０２へ送られるので、基地局制御装置１０２は、これらの情報およびデータを従来同様に同一の移動局（移動無線端末）４０１に関する情報として認識する。なお、共通チャネルと個別制御チャネルと個別トラフィックチャネルが同一の無線通信装置のリソースを利用する場合の発呼手順については、従来同様であるので、説明を省略する。
【００８８】
（実施の形態３）
図１６は、本発明の実施の形態３にかかる移動無線通信システムにおける無線通信装置と張り出し装置の構成を示す図である。図１６に示すように、実施の形態３では、従来同様、拡散処理部１３３と逆拡散処理部１４２が、張り出し装置５０６ではなく、無線通信装置（ＢＴＳ）５０３に設けられている。そして、無線通信装置５０３と張り出し装置５０６は、それぞれのＩＰインタフェース（ＩＰＩＦ）部５２７，５１５を介してＩＰネットワーク１００に接続されている。
【００８９】
また、ベースバンド処理部１１２、送信部１１３および受信部１１４には、それぞれ、ＩＰインタフェース部の代わりに、インタフェース部１２７，１２８、インタフェース部１３５およびインタフェース部１４４が設けられている。基地局制御装置１０２が無線通信装置５０３のリソースの割り当てを管理する場合の発呼手順は、実施の形態１と同様である。また、無線通信装置５０３がリソースの割り当てを管理する場合の発呼手順は、実施の形態２と同様である。従って、それらの手順の説明を省略する。
【００９０】
さらに、本実施形態についてもＣＤＭＡ方式を例としているが、実施の形態１と同様に、ＯＦＤＭ方式等、他の通信方式の場合には、フレーム処理部１３２、拡散処理部１３３を変調処理部として１つの処理とすることもでき、受信処理部１４１を復調処理部とすることができる。また、逆拡散処理部１４２は行わなくてよい。
【００９１】
以上説明したように、実施の形態１〜３によれば、移動局（移動無線端末）４０１と上位ネットワーク１０１の間に確立される複数のチャネル３０１，３０２，３０３のすべてに一つの無線通信装置１０３，５０３のリソースを割り当てることができない場合に、それらのチャネル３０１，３０２，３０３に対して２以上の無線通信装置１０３ａ，１０３ｂのリソースを割り当てることができる。従って、トラフィック量が増大しても、良好なサービス品質を確保することができる。
【００９２】
また、トラフィック分布に応じたリソースの増減を人手によって行う必要がない。さらに、トラフィック分布に応じてリソースが動的に変化することによって、トラフィック量が減少しても余剰なリソースが生じるのを防ぐことができる。従って、通信コストを削減することができる。また、張り出し装置１０６，５０６とＩＰネットワーク１００の間を電話線などのメタル回線で接続することができるので、光ケーブルを敷設できないエリアに張り出し装置１０６，５０６を安価に設置し、安価に運用することができる。なお、本発明は、携帯電話システムに限らず、他の移動無線システムに適用することができる。
【００９３】
（付記１）移動無線端末が上位ネットワークと通信する際の通信処理を行うためのリソースを有する複数の無線通信装置と、
移動無線端末との間で無線通信を行う機能を有する１または２以上の張り出し装置と、
前記無線通信装置および前記張り出し装置が接続され、前記無線通信装置および前記張り出し装置の接続関係を任意に変更可能なＩＰネットワークと、
を具備し、
それぞれの前記張り出し装置は、移動無線端末が上位ネットワークと通信する際に、複数の前記無線通信装置のリソースを同時に使用可能であることを特徴とする無線通信システム。
【００９４】
（付記２）複数の前記無線通信装置を制御する基地局制御装置をさらに有し、
前記基地局制御装置は、移動無線端末が上位ネットワークと通信する際に、該移動無線端末と上位ネットワークとの間に確立される複数のチャネルを複数の前記無線通信装置のリソースに割り当てるとともに、複数の前記無線通信装置のリソースにより処理された情報を同一の移動無線端末に係わる情報として処理することを特徴とする付記１に記載の無線通信システム。
【００９５】
（付記３）前記基地局制御装置は、配下の複数の前記無線通信装置を複数の基地局グループに分けて管理し、移動無線端末が上位ネットワークと通信する際に、該移動無線端末と上位ネットワークとの間に確立される複数のチャネルを同一の基地局グループに属する複数の前記無線通信装置のリソースに割り当てることを特徴とする付記２に記載の無線通信システム。
【００９６】
（付記４）前記基地局制御装置は、配下の複数の前記無線通信装置を複数の基地局グループに分けて管理し、移動無線端末が上位ネットワークと通信する際に、該移動無線端末と上位ネットワークとの間に確立される複数のチャネルを、同一の基地局グループに属する前記無線通信装置のリソースに割り当てずに、異なる基地局グループにそれぞれ属する前記無線通信装置のリソースに割り当てることを特徴とする付記２に記載の無線通信システム。
【００９７】
（付記５）前記無線通信装置は、複数の前記張り出し装置を複数の張り出し装置グループに分けて管理し、前記基地局制御装置は、移動無線端末が上位ネットワークと通信する際に、該移動無線端末と上位ネットワークとの間に確立される複数のチャネルを、同一の張り出し装置グループに関係づけられた２以上の前記無線通信装置のリソースに割り当てることを特徴とする付記２〜４のいずれか一つに記載の無線通信システム。
【００９８】
（付記６）移動無線端末が上位ネットワークと通信する際に、複数の前記無線通信装置のうちの一つが自身のリソースに、移動無線端末と上位ネットワークとの間に確立される複数のチャネルのうちの一部のチャネルを割り当てるとともに、別の前記無線通信装置にリソースの割り当て指示を転送し、該リソースの割り当て指示を受け取った前記無線通信装置が自身のリソースに残りのチャネルを割り当てることを特徴とする付記１に記載の無線通信システム。
【００９９】
（付記７）複数の前記無線通信装置を複数の基地局グループに分けて管理し、移動無線端末が上位ネットワークと通信する際に、該移動無線端末と上位ネットワークとの間に確立される複数のチャネルを同一の基地局グループに属する複数の前記無線通信装置のリソースに割り当てることを特徴とする付記６に記載の無線通信システム。
【０１００】
（付記８）複数の前記無線通信装置を複数の基地局グループに分けて管理し、移動無線端末が上位ネットワークと通信する際に、該移動無線端末と上位ネットワークとの間に確立される複数のチャネルを、同一の基地局グループに属する前記無線通信装置のリソースに割り当てずに、異なる基地局グループにそれぞれ属する前記無線通信装置のリソースに割り当てることを特徴とする付記６に記載の無線通信システム。
【０１０１】
（付記９）前記無線通信装置は、複数の前記張り出し装置を複数の張り出し装置グループに分けて管理し、移動無線端末が上位ネットワークと通信する際に、該移動無線端末と上位ネットワークとの間に確立される複数のチャネルを、同一の張り出し装置グループに関係づけられた２以上の前記無線通信装置のリソースに割り当てることを特徴とする付記６〜８のいずれか一つに記載の無線通信システム。
【０１０２】
（付記１０）前記無線通信装置は、前記ＩＰネットワークを介して別の無線通信装置との間で制御情報の授受を行うことを特徴とする付記６〜９のいずれか一つに記載の無線通信システム。
【０１０３】
（付記１１）前記付記２〜５のいずれか一つに記載の無線通信システムに用いられる無線通信装置であって、
ＩＰネットワークに接続するためのＩＰインタフェース部と、
送信データに対する符号化処理および受信データに対する復号化処理を行うベースバンド処理部と、
を備えることを特徴とする無線通信装置。
【０１０４】
（付記１２）前記付記６〜１０のいずれか一つに記載の無線通信システムに用いられる無線通信装置であって、
ＩＰネットワークに接続するためのＩＰインタフェース部と、
送信データに対する符号化処理および受信データに対する復号化処理を行うベースバンド処理部と、
前記ＩＰネットワークを介して他の無線通信装置と通信するためのバイパス部と、
を備えることを特徴とする無線通信装置。
【０１０５】
（付記１３）前記付記１に記載の無線通信システムに用いられる無線通信装置であって、ＩＰネットワークに接続するためのＩＰインタフェース部と、送信データに対する符号化処理および受信データに対する逆拡散と復号化の処理を行うベースバンド処理部と、送信データに対する拡散処理を行う拡散処理部と、受信データに対する受信処理を行う受信部と、を備えることを特徴とする無線通信装置。
【０１０６】
（付記１４）前記付記２〜１０のいずれか一つに記載の無線通信システムに用いられる張り出し装置であって、
ＩＰネットワークに接続するためのＩＰインタフェース部と、
移動無線端末との間で無線通信を行う無線送受信部と、
送信データに対する拡散処理を行う拡散処理部と、
受信データに対する受信処理と逆拡散処理を行う受信部と、
を備えることを特徴とする張り出し装置。
【０１０７】
（付記１５）前記付記１に記載の無線通信システムに用いられる張り出し装置であって、ＩＰネットワークに接続するためのＩＰインタフェース部と、移動無線端末との間で無線通信を行う無線送受信部と、を備えることを特徴とする張り出し装置。
【産業上の利用可能性】
【０１０８】
以上のように、本発明にかかる無線通信システム、無線通信装置および張り出し装置は、ＩＰネットワークを利用した移動無線システムに有用であり、特に、携帯電話システムに適している。
【図面の簡単な説明】
【０１０９】
【図１】本発明にかかる移動無線通信システムの概略を示す図である。
【図２】実施の形態１にかかる移動無線通信システムにおける無線通信装置と張り出し装置の構成を示す図である。
【図３】実施の形態１におけるチャネルに対するリソースの割り当ての一例を示す図である。
【図４】図３に示すリソースの割り当てによって通信リンクを確立する場合の発呼手順を示す図である。
【図５】図４の続きを示す図である。
【図６】実施の形態１におけるチャネルに対するリソースの割り当ての他の例を示す図である。
【図７】図６に示すリソースの割り当てによって通信リンクを確立する場合の発呼手順を示す図である。
【図８】図７の続きを示す図である。
【図９】実施の形態２にかかる移動無線通信システムにおける無線通信装置と張り出し装置の構成を示す図である。
【図１０】実施の形態２におけるチャネルに対するリソースの割り当ての一例を示す図である。
【図１１】図１０に示すリソースの割り当てによって通信リンクを確立する場合の発呼手順を示す図である。
【図１２】実施の形態２におけるチャネルに対するリソースの割り当ての他の例を示す図である。
【図１３】図１２に示すリソースの割り当てによって通信リンクを確立する場合の発呼手順を示す図である。
【図１４】図１３の続きを示す図である。
【図１５】図１４の続きを示す図である。
【図１６】実施の形態３にかかる移動無線通信システムにおける無線通信装置と張り出し装置の構成を示す図である。
【図１７】従来の移動無線通信システムの概略を示す図である。
【図１８】従来の移動無線通信システムにおける無線通信装置と光張り出し装置の構成を示す図である。
【符号の説明】
【０１１０】
１００  ＩＰネットワーク
１０１  上位ネットワーク
１０２  基地局制御装置
１０３，１０３ａ，１０３ｂ，５０３  無線通信装置
１０６，１０６ａ，１０６ｂ，５０６  張り出し装置
１１２  ベースバンド処理部
１１４  受信部
１１８  無線送受信部
１１９  バイパス部
１２２  符号化処理部
１２３，１２４，１３１，１４３，５１５，５２７  ＩＰインタフェース部
１２５  復号化処理部
１３３  拡散処理部
１４１  受信処理部
１４２  逆拡散処理部
３０１，３０２，３０３  チャネル
４０１  移動無線端末（移動局）
【図１】
0004545110.tif 000002
【図２】
0004545110.tif 000003
【図３】
0004545110.tif 000004
【図４】
0004545110.tif 000005
【図５】
0004545110.tif 000006
【図６】
0004545110.tif 000007
【図７】
0004545110.tif 000008
【図８】
0004545110.tif 000009
【図９】
0004545110.tif 000010
【図１０】
0004545110.tif 000011
【図１１】
0004545110.tif 000012
【図１２】
0004545110.tif 000013
【図１３】
0004545110.tif 000014
【図１４】
0004545110.tif 000015
【図１５】
0004545110.tif 000016
【図１６】
0004545110.tif 000017
【図１７】
0004545110.tif 000018
【図１８】
0004545110.tif 000019